(57)【要約】【課題】遅延時間を短縮することを可能とするテレビ会議システム等を提供する。【解決手段】中継装置１０と複数のテレビ会議端末２０とが各々回線交換網３０とパケット通信網４０で接続されて構成されるテレビ会議システムで、中継装置１０が、テレビ会議端末からの映像および音声を回線交換網を介して受信する回線交換通信手段１２と、テレビ会議端末から受信した映像および音声をパケット通信網の形式に変換する形式変換部６２と、映像および音声をパケット通信網を介して各々のテレビ会議端末に送信するパケット通信手段１３と、映像および音声を受信したらこれをパケット通信網に適した形式に変換してパケット通信網を介して送信するよう指令する通信制御部６１とを備える。【選択図】図１
2012151555.tif 000002
【特許請求の範囲】
【請求項１】
中継装置と複数のテレビ会議端末とが各々回線交換網とパケット通信網で接続されて構成されるテレビ会議システムであって、
前記中継装置が、
前記テレビ会議端末からの映像および音声を前記回線交換網を介して受信する回線交換通信手段と、
前記テレビ会議端末から受信した前記映像および音声を前記パケット通信網の形式に変換する形式変換部と、
前記映像および音声を前記パケット通信網を介して各々の前記テレビ会議端末に送信するパケット通信手段と、
前記テレビ会議端末のうちの１台から映像および音声を受信したらこれを前記形式変換部に前記パケット通信網に適した形式に変換するよう指令し、変換された前記映像および音声を前記パケット通信網を介して各々の前記テレビ会議端末に送信するよう前記パケット通信手段に指令する通信制御部と
を備えることを特徴とするテレビ会議システム。
【請求項２】
前記中継装置の前記形式変換部が、
外部からの指令に応じて前記テレビ会議端末から受信した前記映像および音声を前記回線交換網または前記パケット通信網のうちいずれか一方の形式に変換する機能を有すると共に、
前記中継装置の前記通信制御部が、
前記テレビ会議端末のうちのいずれが発言者端末であるかを特定する会議解析機能と、
各々の前記テレビ会議端末との間の前記パケット通信網の状態を解析するネットワーク状態解析機能と、
前記特定された発言者端末および解析された前記パケット通信網の状態に応じて前記映像および音声を前記回線交換網と前記パケット通信網のいずれで各々の前記テレビ会議端末に送信するかを決定してこの決定に応じて前記映像および音声を各々の前記テレビ会議端末に送信するよう前記回線交換通信手段もしくは前記パケット通信手段に指令する送信方法決定機能と
を有することを特徴とする、請求項１に記載のテレビ会議システム。
【請求項３】
前記中継装置の前記ネットワーク状態解析機能が、前記パケット通信網の状態として各々の前記テレビ会議端末との間の遅延時間および利用可能帯域を検出し、
前記中継装置の前記送信方法決定機能が、検出された前記遅延時間および前記利用可能帯域に基づいて各々の前記テレビ会議端末に対して前記回線交換網と前記パケット通信網のそれぞれを介して送信する前記映像および音声の内容を決定することを特徴とする、請求項２に記載のテレビ会議システム。
【請求項４】
複数のテレビ会議端末と各々回線交換網とパケット通信網で接続され、テレビ会議システムを構成するテレビ会議中継装置であって、
前記テレビ会議端末からの映像および音声を前記回線交換網を介して受信する回線交換通信手段と、
前記テレビ会議端末から受信した前記映像および音声を前記パケット通信網の形式に変換する形式変換部と、
前記映像および音声を前記パケット通信網を介して各々の前記テレビ会議端末に送信するパケット通信手段と、
前記テレビ会議端末のうちの１台から映像および音声を受信したらこれを前記形式変換部に前記パケット通信網に適した形式に変換するよう指令し、変換された前記映像および音声を前記パケット通信網を介して各々の前記テレビ会議端末に送信するよう前記パケット通信手段に指令する通信制御部と
を備えることを特徴とするテレビ会議中継装置。
【請求項５】
前記形式変換部が、
外部からの指令に応じて前記テレビ会議端末から受信した前記映像および音声を前記回線交換網または前記パケット通信網のうちいずれか一方に適した形式に変換する機能を有すると共に、
前記中継装置の前記通信制御部が、
前記テレビ会議端末のうちのいずれが発言者端末であるかを特定する会議解析機能と、
各々の前記テレビ会議端末との間の前記パケット通信網の状態を解析するネットワーク状態解析機能と、
前記特定された発言者端末および解析された前記パケット通信網の状態に応じて前記映像および音声を前記回線交換網と前記パケット通信網のいずれで各々の前記テレビ会議端末に送信するかを決定してこの決定に応じて前記映像および音声を各々の前記テレビ会議端末に送信するよう前記回線交換通信手段もしくは前記パケット通信手段に指令する送信方法決定機能と
を有することを特徴とする、請求項４に記載のテレビ会議中継装置。
【請求項６】
中継装置と複数のテレビ会議端末とが各々回線交換網とパケット通信網で接続されて構成されるテレビ会議システムにあって、
前記テレビ会議端末からの映像および音声を前記回線交換網を介して前記中継装置の回線交換通信手段が受信し、
前記テレビ会議端末のうちの１台から映像および音声を受信したら中継装置の形式変換部がこの映像および音声を前記パケット通信網の形式に変換し、
変換された前記映像および音声を前記パケット通信網を介して各々の前記テレビ会議端末に送信する
ことを特徴とするテレビ会議中継方法。
【請求項７】
前記テレビ会議端末からの映像および音声を受信した後に、
前記テレビ会議端末のうちのいずれが発言者の端末であるかを前記中継装置の会議解析機能が特定し、
前記中継装置と各々の前記テレビ会議端末との間の前記パケット通信網の状態を前記中継装置のネットワーク状態解析機能が解析し、
前記特定された発言者端末および解析された前記パケット通信網の状態に応じて前記映像および音声を前記回線交換網と前記パケット通信網のいずれで各々の前記テレビ会議端末に送信するかを前記中継装置の送信方法決定機能が決定すると共にこの決定に応じて前記映像および音声を各々の前記テレビ会議端末に送信することを特徴とする、請求項６に記載のテレビ会議中継方法。
【請求項８】
中継装置と複数のテレビ会議端末とが各々回線交換網とパケット通信網で接続されて構成されるテレビ会議システムにあって、
前記中継装置が備えているコンピュータに、
前記テレビ会議端末からの映像および音声を前記回線交換網を介して受信する手順、
前記テレビ会議端末のうちの１台から映像および音声を受信したらこの映像および音声を前記パケット通信網の形式に変換する手順、
および変換された前記映像および音声を前記パケット通信網を介して各々の前記テレビ会議端末に送信する手順
を実行させることを特徴とするテレビ会議中継プログラム。
【請求項９】
前記中継装置が備えているコンピュータに、
前記テレビ会議端末からの映像および音声を受信する手順の後に、
前記テレビ会議端末のうちのいずれが発言者の端末であるかを特定する手順、
前記中継装置と各々の前記テレビ会議端末との間の前記パケット通信網の状態を解析する手順、
および前記特定された発言者端末および解析された前記パケット通信網の状態に応じて前記映像および音声を前記回線交換網と前記パケット通信網のいずれで各々の前記テレビ会議端末に送信するかを前記中継装置の送信方法決定機能が決定すると共にこの決定に応じて前記映像および音声を各々の前記テレビ会議端末に送信させる手順
を実行させることを特徴とする、請求項８に記載のテレビ会議中継プログラム。
【発明の詳細な説明】
【技術分野】
【０００１】
本発明はテレビ会議システム、テレビ会議中継装置、テレビ会議中継方法および中継プログラムに関し、特に映像や音声を送受信する際の遅延時間を削減できるテレビ会議システム等に関する。
【背景技術】
【０００２】
ネットワークの利用形態の一つとして、テレビ会議（ビデオ会議ともいう）がある。テレビ会議は、ネットワークによって複数の遠隔地を結び、相互の遠隔地同士の映像および音声を中継装置を介して送受信しあうことによって、これらの遠隔地にいる者同士が一つの会議室内にいるのと同等に会議を行うことを可能とするものである。また、３地点以上を接続してテレビ会議を行う場合には、中継装置を使用するのが一般的である。
【０００３】
国際電気通信連合（ＩＴＵ: International Telecommunication Union）は、テレビ会議のためにＩＴＵ  Ｈ．３２３勧告などのような規格を定めている。これ以外にも、映像および音声をネットワーク上で伝送することが可能な技術がいくつかあり、それらの技術がテレビ会議に適用できる。
【０００４】
テレビ会議のために利用される映像および音声の配信には、特にリアルタイム性が重視される。映像および音声を符号化／復号化する上で不可避である遅延時間を、なるべく短くすることが望ましい。
【０００５】
これに関連する技術として、以下の各々がある。特許文献１には、マルチメディア通信端末間の通信を中継する情報中継装置で、伝送されるマルチメディア情報の属性に応じて変換処理を行い、変換処理が不要な場合には変換処理を行わないことにより情報の劣化および遅延を防止するという技術が記載されている。特許文献２には、複数の端末装置からの符号化ストリームを合成して各端末装置に送信して、サーバ装置の負荷を軽減することが可能なテレビ会議システムについて記載されている。
【０００６】
特許文献３には、パケット交換網でのパケット数もしくは使用帯域を抑制して、パケット通信の状態を改善することが可能であるというメディアストリーム中継装置が記載されている。特許文献４には、各端末からの映像を合成して配信する際の符号化パラメータの選択方法に特徴のある合成映像配信装置が記載されている。
【０００７】
特許文献５には、遅延量に応じて分割するパケット数を決定し、そのパケット数で通信パケットを分割して送信するという通信装置が記載されている。特許文献６には、テレビ会議に常駐する端末の常駐レイアウトを選択して、送信されてきた圧縮メディアをデコードしなくても表示できるという会議システムが記載されている。
【先行技術文献】
【特許文献】
【０００８】
【特許文献１】特開２００５−０７２９７３号公報
【特許文献２】特開２００５−３４１３２５号公報
【特許文献３】特開２００７−２８８３４２号公報
【特許文献４】特開２００９−１１７８９６号公報
【特許文献５】特開２０１０−１３０３２９号公報
【特許文献６】特開２０１０−１７８３４０号公報
【発明の概要】
【発明が解決しようとする課題】
【０００９】
前述のように、テレビ会議に利用される映像および音声の配信には、特にリアルタイム性が重視される。そのため、映像および音声を符号化／復号化する際に発生する遅延時間を、なるべく短くすることが望ましい。その上で、映像および音声の品質を可能な限り高く、またなるべく多くの地点の端末からの映像および音声を全ての参加者に配信することが望ましい。
【００１０】
しかしながら、映像および音声の符号化／復号化の処理において、遅延時間が発生することは不可避である。特に、ある端末からの映像および音声を他の端末向けに配信する際に符号化処理を行うために、処理内容に応じて数１０ミリ秒〜数秒程度の遅延が発生することは不可避である。
【００１１】
このような場合に、ネットワーク状態などに応じて映像および音声の送信方法を切り替えることができることが望ましいが、前述の特許文献１〜６には「送信方法を切り替える」ことを可能とする技術は記載されていないので、上記の問題を解決することは不可能である。
【００１２】
本発明の目的は、映像および音声の符号化／復号化の処理に伴って発生する遅延時間を短縮して、リアルタイムに映像および音声を配信することを可能とするテレビ会議システム、テレビ会議中継装置、テレビ会議中継方法および中継プログラムを提供することにある。
【課題を解決するための手段】
【００１３】
上記目的を達成するため、本発明に係るテレビ会議システムは、中継装置と複数のテレビ会議端末とが各々回線交換網とパケット通信網で接続されて構成されるテレビ会議システムであって、中継装置が、テレビ会議端末からの映像および音声を回線交換網を介して受信する回線交換通信手段と、テレビ会議端末から受信した映像および音声をパケット通信網の形式に変換する形式変換部と、映像および音声をパケット通信網を介して各々のテレビ会議端末に送信するパケット通信手段と、テレビ会議端末のうちの１台から映像および音声を受信したらこれを形式変換部にパケット通信網に適した形式に変換するよう指令し、変換された映像および音声をパケット通信網を介して各々のテレビ会議端末に送信するようパケット通信手段に指令する通信制御部とを備えることを特徴とする。
【００１４】
上記目的を達成するため、本発明に係るテレビ会議中継装置は、複数のテレビ会議端末と各々回線交換網とパケット通信網で接続され、テレビ会議システムを構成するテレビ会議中継装置であって、テレビ会議端末からの映像および音声を回線交換網を介して受信する回線交換通信手段と、テレビ会議端末から受信した映像および音声をパケット通信網の形式に変換する形式変換部と、映像および音声をパケット通信網を介して各々のテレビ会議端末に送信するパケット通信手段と、テレビ会議端末のうちの１台から映像および音声を受信したらこれを形式変換部にパケット通信網に適した形式に変換するよう指令し、変換された映像および音声をパケット通信網を介して各々のテレビ会議端末に送信するようパケット通信手段に指令する通信制御部とを備えることを特徴とする。
【００１５】
上記目的を達成するため、本発明に係るテレビ会議中継方法は、中継装置と複数のテレビ会議端末とが各々回線交換網とパケット通信網で接続されて構成されるテレビ会議システムにあって、テレビ会議端末からの映像および音声を回線交換網を介して中継装置の回線交換通信手段が受信し、テレビ会議端末のうちの１台から映像および音声を受信したら中継装置の形式変換部がこの映像および音声をパケット通信網の形式に変換し、変換された映像および音声をパケット通信網を介して各々のテレビ会議端末に送信することを特徴とする。
【００１６】
上記目的を達成するため、本発明に係るテレビ会議中継プログラムは、中継装置と複数のテレビ会議端末とが各々回線交換網とパケット通信網で接続されて構成されるテレビ会議システムにあって、中継装置が備えているコンピュータに、テレビ会議端末からの映像および音声を回線交換網を介して受信する手順、テレビ会議端末のうちの１台から映像および音声を受信したらこの映像および音声をパケット通信網の形式に変換する手順、および変換された映像および音声をパケット通信網を介して各々のテレビ会議端末に送信する手順を実行させることを特徴とする。
【発明の効果】
【００１７】
本発明は、上述したように中継装置がテレビ会議端末からの映像および音声を回線交換網を介して受信し、これを形式変換してからパケット通信網を介して送信するように構成したので、中継装置で映像・音声の復号化と符号化を行う必要がなくなり、この処理において発生する遅延時間を短縮できる。これによって、遅延時間を短縮して、リアルタイムに映像および音声を配信することが可能であるという、優れた特徴を持つテレビ会議システム、テレビ会議中継装置、テレビ会議中継方法および中継プログラムを提供することができる。
【図面の簡単な説明】
【００１８】
【図１】本発明の第１の実施形態に係るテレビ会議システムの構成について示す説明図である。
【図２】図１に示した制御手段のより詳細な構成について示す説明図である。
【図３】図１に示したテレビ会議システムの、映像および音声を中継する動作について示すシーケンス図である。
【図４】図１に示したテレビ会議システムのより具体的な運用例について示す説明図である。
【図５】本発明の第２の実施形態に係るテレビ会議システムの構成について示す説明図である。
【図６】図５に示した通信制御部のより詳しい構成について示す説明図である。
【図７】図６で示した会議解析機能の動作を表すフローチャートである。
【図８】図６で示したネットワーク状態解析機能の動作を表すフローチャートである。
【図９】図６で示した送信方法決定機能の動作を表すフローチャートである。
【図１０】図９のステップＳ４０３で送信方法決定機能が送信方法を決定する基準について示す説明図である。
【図１１】図５に示したテレビ会議システムのより具体的な運用例について示す説明図である。
【図１２】図１１に示したテレビ会議システムの運用例で、中継装置からテレビ会議端末の各々の間でのネットワーク状態の一例について示す表である。
【発明を実施するための形態】
【００１９】
（第１の実施形態）
以下、本発明の第１の実施形態の構成について添付図１〜２に基づいて説明する。
最初に、本実施形態の基本的な内容について説明し、その後でより具体的な内容について説明する。
本実施形態に係るテレビ会議システム１は、中継装置１０と複数のテレビ会議端末２０とが各々回線交換網３０とパケット通信網４０で接続されて構成されるテレビ会議システムである。中継装置１０は、テレビ会議端末からの映像および音声を回線交換網を介して受信する回線交換通信手段１２と、テレビ会議端末から受信した映像および音声を回線交換網もしくはパケット通信網の形式に変換する形式変換部６２と、映像および音声をパケット通信網を介して各々のテレビ会議端末に送信するパケット通信手段１３と、テレビ会議端末のうちの１台から映像および音声を受信したらこれを形式変換部にパケット通信網に適した形式に変換するよう指令し、変換された映像および音声をパケット通信網を介して各々のテレビ会議端末に送信するようパケット通信手段に指令する通信制御部６１とを備える。
【００２０】
この構成を備えることにより、テレビ会議システム１は、映像および音声の伝送における遅延時間を短縮することが可能となる。
以下、これをより詳細に説明する。
【００２１】
図１は、本発明の第１の実施形態に係るテレビ会議システム１の構成について示す説明図である。テレビ会議システム１は、テレビ会議中継装置１０と複数台のテレビ会議端末２０ａ、２０ｂ、２０ｃ…とが映像および音声通信用の回線交換網３０およびパケット通信網４０を介して相互に接続されて構成される。テレビ会議中継装置１０は、以後単に中継装置１０という。また、テレビ会議端末２０ａ、２０ｂ、２０ｃ…はいずれも同一の構成を備えるので、以後これらを総称してテレビ会議端末２０という。
【００２２】
中継装置１０は、コンピュータプログラムを実行する主体であるプロセッサを内蔵した制御手段１１と、回線交換網３０を介して映像および音声通信を行う回線交換通信手段１２と、パケット通信網４０を介してデータ通信を行うパケット通信手段１３とを備える。
【００２３】
テレビ会議端末２０は、映像および音声を入力する入力手段２１と、映像および音声を出力する出力手段２２と、入力手段２１から入力された映像および音声を通信に適した形式にエンコードするエンコード手段２３と、エンコードされた映像および音声を回線交換網３０を介して通信する回線交換通信手段２４と、エンコードされた映像および音声をパケット通信網４０を介して通信するパケット通信手段２５と、回線交換通信手段２４またはパケット通信手段２５が受信したエンコードされた映像および音声をデコードして出力手段２２を介して出力するデコード手段２６とを備える。
【００２４】
回線交換網３０で利用される回線交換方式は、端末間（本実施の形態では中継装置１０とテレビ会議端末２０の間）で一定の帯域を占有する通信方式である。この方式には、パケット通信方式に比べて一般的に帯域は小さいがネットワークでの遅延が小さいという特徴がある。
【００２５】
一方、パケット通信網４０で利用されるパケット通信方式は、送信側の装置がデータをパケットに分割して送信し、ネットワークの空いている時間に受信側の装置まで転送する通信方式である。この方式には、回線交換方式に比べて遅延が大きく、帯域や遅延時間の変動が大きいが、回線交換方式に比べて数倍から数百倍以上の大きな帯域を持つという特徴がある。
【００２６】
図２は、図１に示した制御手段１１のより詳細な構成について示す説明図である。制御手段１１は、コンピュータプログラムを実行する主体であるプロセッサ５１と、データを記憶する記憶手段５２とを備える。プロセッサ５１では、通信制御部６１および形式変換部６２がコンピュータプログラムとして、各々の機能を実行するように構成されている。
【００２７】
通信制御部６１は、複数台あるテレビ会議端末２０のうちのどの端末からの映像および音声を他の端末に送信するか、また回線交換網３０とパケット通信網４０のいずれを利用して送信するかを決定して、この決定結果に応じて形式変換部６２、回線交換通信手段１２、およびパケット通信手段１３に動作指令を発する。形式変換部６２は、映像および音声のデータ形式を、回線交換網３０またはパケット通信網４０に適した形式に変換する。
【００２８】
図３は、図１に示したテレビ会議システム１の、映像および音声を中継する動作について示すシーケンス図である。ここでは、テレビ会議端末２０の中の１つであるテレビ会議端末２０ａを、通信開始の信号を発信する「会議開始端末」とする。また、これ以外にテレビ会議端末２０ｂおよび２０ｃが、この会議に参加している。即ち、図３に示す例では、テレビ会議端末２０ａ〜ｃという３台が中継装置１０を介してテレビ会議に参加している。また回線交換通信を「太い実線の矢印」、パケット通信を「太い破線の矢印」で示す。
【００２９】
テレビ会議端末２０ａが、回線交換網３０およびパケット交換網４０の両方を介して、中継装置１０に通信開始の信号を送信する（ステップＳ１０１）。これでテレビ会議端末２０ａと中継装置１０との間で、回線交換通信とパケット通信が開始する。
【００３０】
次に、中継装置１０は、テレビ会議端末２０ａ以外で会議に参加するテレビ会議端末２０ｂおよび２０ｃに対して、回線交換網３０およびパケット交換網４０の両方を介して、通信開始の信号を送信する（ステップＳ１０２〜１０３）。
【００３１】
この通信開始方法は単なる一例に過ぎず、中継装置１０と各々のテレビ会議端末２０が回線交換網３０およびパケット交換網４０を介して接続できさえすればよい。たとえば会議開始の時刻を予め設定し、この設定時刻になったら中継装置１０が各々のテレビ会議端末２０ａ〜ｃに接続するという方式を利用することもできる。
【００３２】
テレビ会議端末２０ａは、入力手段２１から入力された映像および音声をエンコード手段２３によって回線交換方式で送信可能な形式にエンコードして、これを回線交換通信手段２４および回線交換網３０を介して中継装置１０に送信する（ステップＳ１０４）。
【００３３】
これを回線交換通信手段１２を介して受信した中継装置１０では、通信制御部６１がこれに反応して、形式変換部６２およびパケット通信手段１３に、受信した映像および音声をパケット通信方式でテレビ会議端末２０ｂおよび２０ｃに送信するよう指示する。これに基づいて、形式変換部６２は受信した映像および音声をパケット通信方式送信可能な形式に変換する（ステップＳ１０５）。そしてパケット通信手段１３は、変換された映像および音声をテレビ会議端末２０ｂおよび２０ｃに送信する（ステップＳ１０６）。
【００３４】
テレビ会議端末２０ｂおよび２０ｃは、各々のパケット通信手段２５で受信した映像および音声をデコード手段２６でデコードし、これを出力手段２２を介して出力する（ステップＳ１０７）。テレビ会議端末２０ｂおよび２０ｃから映像および音声が送信される場合も、ステップＳ１０４〜１０７と同様の動作が行われる。
【００３５】
また、テレビ会議端末２０が３台以上で会議を行う場合、各々のテレビ会議端末２０には複数の端末からの映像と音声が送信されることになる。この場合、音声については各テレビ会議端末２０は他の各テレビ会議端末２０からの音声の全てを合成して出力し、映像については各テレビ会議端末２０は他の各テレビ会議端末２０からの映像を画面分割によって表示してもよいし、一部のテレビ会議端末２０（たとえば発言者など）からの映像のみを表示するようにしてもよい。
【００３６】
次に、本実施形態のより具体的な運用について説明する。図４は、図１に示したテレビ会議システム１のより具体的な運用例について示す説明図である。テレビ会議システム１は、１台の中継装置１０と８台のテレビ会議端末２０ａ〜２０ｈが回線交換網３０およびパケット通信網４０を介して相互に接続されて構成される。テレビ会議端末２０の台数は２台以上であれば何台でもよい。
【００３７】
中継装置１０はサーバコンピュータであり、回線交換通信手段１２はサーバコンピュータである中継装置１０に３Ｇ無線通信モジュールを複数個接続することによって実現される。パケット通信手段１３は、サーバコンピュータである中継装置１０がデータ通信用ネットワークに接続することを可能とする任意のインターフェイスであり、たとえばイーサネット（登録商標）などである。通信制御部６１および形式変換部６２は、前述のようにプロセッサ５１でコンピュータプログラムが実行されることによって実現される。
【００３８】
テレビ会議端末２０は携帯電話端末もしくはスマートフォン端末である。回線交換通信手段２４は３Ｇ（3rd Generation, 第３世代移動通信システム）無線通信用回線交換モジュール、パケット通信手段２５は３Ｇ無線通信用パケット通信モジュールである。エンコード手段２３およびデコード手段２６は、携帯電話端末もしくはスマートフォン端末であるテレビ会議端末２０に実装された映像および音声のエンコードチップもしくはデコードチップである。
【００３９】
回線交換網３０は、携帯電話キャリアが提供する３Ｇ無線通信回線交換網であり、パケット通信網４０は携帯電話キャリアが提供する３Ｇパケット通信網およびインターネットで構成されたＩＰネットワークである。テレビ会議開始時、中継装置１０とテレビ電話端末２０の間は、回線交換網３０ではＷ−ＣＤＭＡ（Wideband Code Division Multiple Access）方式のテレビ電話で接続され、パケット通信網４０ではＳＩＰ（Session Initiation Protocol）でセッションを確立する。
【００４０】
テレビ会議開始時、中継装置１０と各テレビ会議端末２０は、回線交換網３０とパケット通信網４０を介して、各々の接続方式によって接続する（ステップＳ１０１〜１０３）。接続が確立されたら、各テレビ会議端末２０は、入力手段２１から入力された映像および音声をエンコード手段２３によってエンコードして、３Ｇ−３２４Ｍ（ＩＴＵ  Ｈ．３２４）プロトコルを利用して回線交換通信手段２４および回線交換網３０を介して中継装置１０に送信する（ステップＳ１０４）。
【００４１】
ここで３Ｇ−３２４Ｍプロトコルは、３Ｇ無線通信の回線交換網３０を使用したテレビ会議向けのプロトコルである。映像についてはＩＴＵ勧告Ｈ．２６３、音声についてはＡＭＲ（Adaptive Multi-Rate）の各方式を使用して各々エンコードし、エンコードされた映像と音声とをＨ．２２３形式で多重化する。
【００４２】
中継装置１０では、３Ｇ−３２４Ｍ形式のデータを受信した回線交換通信手段１２は、このデータを形式変換部６２に転送する。形式変換部６２では、Ｈ．２２３形式で多重化されたデータからＩＴＵ勧告Ｈ．２６３形式の映像データとＡＭＲ形式の音声データを抽出し、抽出された映像データおよび音声データを各々適切な長さに分割した上でパケット通信手段１３に転送する（ステップＳ１０５）。
【００４３】
パケット通信手段１３は、転送されてきた映像データおよび音声データにＲＴＰ（Real-time Transport Protocol）ヘッダ、ＵＤＰ（User Datagram Protocol）ヘッダおよびＩＰ（Internet Protocol）ヘッダを付加してパケット通信網４０経由で、テレビ会議端末２０ａ〜ｈに送信する（ステップＳ１０６）。このとき、映像データと音声データをそれぞれ別個に送信するのではなく、ＭＰＥＧ−２（Moving Picture Experts Group phase 2）  ＴＳ（Transport Stream）形式などに多重化した後にＲＴＰヘッダ、ＵＤＰヘッダおよびＩＰヘッダを付加して送信してもよい。
【００４４】
テレビ会議端末２０ａ〜ｈでは、パケット通信手段２５を介して受信した映像データおよび音声データについて、ＲＴＰヘッダをもとにしてデータの並べ替えなどを行い、その後でデコード手段２６でデコードし、これを出力手段２２を介して出力する（ステップＳ１０７）。
【００４５】
（第１の実施形態の全体的な動作）
次に、上記の実施形態の全体的な動作について説明する。本実施形態に係るテレビ会議中継方法は、中継装置１０と複数のテレビ会議端末２０とが各々回線交換網３０とパケット通信網４０で接続されて構成されるテレビ会議システム１にあって、テレビ会議端末からの映像および音声を回線交換網を介して中継装置の回線交換通信手段が受信し（図３・ステップＳ１０４）、テレビ会議端末のうちの１台から映像および音声を受信したら中継装置の形式変換部がこの映像および音声をパケット通信網に適した形式に変換し（図３・ステップＳ１０５）、変換された映像および音声をパケット通信網を介して各々のテレビ会議端末に送信する（図３・ステップＳ１０６）。
【００４６】
ここで、上記各動作ステップについては、これをコンピュータで実行可能にプログラム化し、これらを前記各ステップを直接実行するコンピュータである中継装置１０に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００４７】
前述のように、回線交換網３０は、パケット通信網４０と比べて帯域が小さく、映像および音声の送信において発生する遅延時間が小さいことが一般的である。従って、形式変換部６２で回線交換方式からパケット通信方式に形式を変換する処理は、この逆の変換と比べて短時間で済む。
【００４８】
本実施形態はこのことを利用し、テレビ会議端末２０から中継装置１０への映像および音声の送信には回線交換網３０を使用し、中継装置１０からテレビ会議端末２０への映像および音声の送信にはパケット通信網４０を使用している。こうすることによって、遅延時間の大きいエンコード処理を行うことはなく、すべてのテレビ会議端末２０から受信した映像および音声をそのまま送信しても、ネットワークに対する負荷は小さく済む。従って、遅延時間を短縮することが可能となる。
【００４９】
（第２の実施形態）
本発明の第２の実施形態では、第１の実施形態で述べた構成に加えて、中継装置２１０の形式変換部６２が、通信制御部２６１が、外部からの指令に応じてテレビ会議端末から受信した映像および音声を回線交換網またはパケット通信網のうちいずれか一方の形式に変換する機能を有する。これと共に、テレビ会議端末２０のうちのいずれが発言者端末であるかを特定する会議解析機能２６１ａと、各々のテレビ会議端末との間のパケット通信網の状態を解析するネットワーク状態解析機能２６１ｃと、特定された発言者端末および解析されたパケット通信網の状態に応じて映像および音声を回線交換網とパケット通信網のいずれで各々のテレビ会議端末に送信するかを決定してこの決定に応じて映像および音声を各々のテレビ会議端末に送信するよう回線交換通信手段もしくはパケット通信手段に指令する送信方法決定機能２６１ｂとを有する構成とした。
【００５０】
また、中継装置のネットワーク状態解析機能２６１ｃが、パケット通信網の状態として各々のテレビ会議端末との間の遅延時間および利用可能帯域を検出し、中継装置の送信方法決定機能２６１ｂが、検出された遅延時間および利用可能帯域に基づいて各々のテレビ会議端末に対して回線交換網とパケット通信網のそれぞれを介して送信する映像および音声の内容を決定するものとした。
【００５１】
この構成によれば、映像および音声の伝送にかかる遅延時間を短縮するだけでなく、各々のテレビ会議端末との間のパケット通信網の状態に応じて、送信される映像および音声の質を向上することが可能となる。
以下、これをより詳細に説明する。
【００５２】
図５は、本発明の第２の実施形態に係るテレビ会議システム２０１の構成について示す説明図である。テレビ会議システム２０１は、第１の実施形態に係るテレビ会議システム１の中継装置１０が、別の中継装置２１０に置換されている。これ以外は、第１の実施形態に係るテレビ会議システム１と同一である。
【００５３】
中継装置２１０は、コンピュータプログラムを実行する主体であるプロセッサを内蔵した制御手段１１と、回線交換網３０を介して映像および音声通信を行う回線交換通信手段１２と、パケット通信網４０を介してデータ通信を行うパケット通信手段１３とを備える点は第１の実施形態の中継装置１０と同一であるが、プロセッサ５１で動作するコンピュータプログラムによって実現される通信制御部６１が、別のコンピュータプログラムによって別の通信制御部２６１に置換されている。
【００５４】
テレビ会議システム２０１は、中継装置２１０が回線交換通信手段１２を介してテレビ会議端末２０からの映像および音声を受信するところまでは第１の実施形態に係るテレビ会議システム１と同一であるが、受信した音声を中継装置２１０から全てのテレビ会議端末２０に対して送信する動作が異なる。この点について、次段から説明する。
【００５５】
図６は、図５に示した通信制御部２６１のより詳しい構成について示す説明図である。通信制御部２６１は、会議解析機能２６１ａ、送信方法決定機能２６１ｂ、およびネットワーク状態解析機能２６１ｃといった各機能を備える。
【００５６】
これらの各機能によって、通信制御部２６１は、回線交換通信手段１２を介して受信した映像および音声をパケット通信手段１３を介して全てのテレビ会議端末２０に対して送信するのではなく、テレビ会議の状態（発言者など）および各テレビ会議端末２０との間のパケット通信網４０の通信状態に応じて、どのテレビ会議端末２０からの映像と音声を送信するか、またその際に回線交換網３０とパケット通信網４０のいずれを利用するかを映像と音声のそれぞれについて決定して制御することが可能である。なお、回線交換網３０を介して送信する場合、形式変換部６２は使用されない。
【００５７】
会議解析機能２６１ａは、回線交換通信手段１２を介してテレビ会議システム２０１で現在行われている会議の状態を解析し、複数のテレビ会議端末２０のうちのどの端末を利用している者が発言者であるかを特定する。ネットワーク状態解析機能２６１ｃは、パケット通信手段１３を介して各テレビ会議端末２０との間のパケット通信網４０で、遅延時間および利用可能帯域といったネットワーク状態を解析する。
【００５８】
送信方法決定機能２６１ｂは、会議解析機能２６１ａおよびネットワーク状態解析機能２６１ｃの解析結果から、テレビ会議端末２０の各々に対して、どのテレビ会議端末２０からの映像および音声を、回線交換網３０とパケット通信網４０のいずれを利用して送信するかを決定する。
【００５９】
図７は、図６で示した会議解析機能２６１ａの動作を表すフローチャートである。会議解析機能２６１ａは、回線交換通信手段１２を介して各テレビ会議端末２０からの映像および音声を取得する（ステップＳ３０１）。そして取得した映像および音声を分析し、音声のレベル（または映像の動き）が大きい端末を「発言者」の端末として特定する（ステップＳ３０２）。そして、どのテレビ会議端末２０が「発言者」の端末として特定されたかについての情報を送信方法決定機能２６１ｂに通知する（ステップＳ３０３）。
【００６０】
図８は、図６で示したネットワーク状態解析機能２６１ｃの動作を表すフローチャートである。ネットワーク状態解析機能２６１ｃは、パケット通信手段１３を介して、パケット通信網４０における各テレビ会議端末２０との間の通信データを取得し（ステップＳ３５１）、この通信データを解析して各テレビ会議端末２０との間の遅延時間および利用可能帯域といったネットワーク状態を解析する（ステップＳ３５２）。そして、解析されたネットワーク状態についての情報を送信方法決定機能２６１ｂに通知する（ステップＳ３５３）。なお、ステップＳ３５２でネットワーク状態を解析する具体的な手法については後述する。
【００６１】
図９は、図６で示した送信方法決定機能２６１ｂの動作を表すフローチャートである。送信方法決定機能２６１ｂは、まず会議解析機能２６１ａの解析結果を取得し（ステップＳ４０１）、続いてネットワーク状態解析機能２６１ｃの解析結果を取得する（ステップＳ４０２）。そして、取得した各々のデータを元に後述する図１０に示す基準によって、各々のテレビ会議端末２０に対して、どのテレビ会議端末２０からの映像および音声を、回線交換網３０とパケット通信網４０のいずれを利用して送信するかを決定する（ステップＳ４０３）。
【００６２】
図１０は、図９のステップＳ４０３で送信方法決定機能２６１ｂが送信方法を決定する基準について示す説明図である。図１０の横軸はネットワーク状態解析機能２６１ｃによって解析された、特定のテレビ会議端末２０との間のパケット通信網４０での利用可能帯域を示しており、左から右にいくほど帯域幅が広いことを意味する。また縦軸はネットワーク状態解析機能２６１ｃによって解析された、特定のテレビ会議端末２０との間のパケット通信網４０での遅延時間を表しており、下から上にいくほど遅延時間が短いことを意味する。
【００６３】
ここでは、横軸の利用可能帯域を左から「狭」「中」「広」の３段階に分け、また遅延時間を下から「長」「短」の２段階に分ける。利用可能帯域「狭」とは、１台のテレビ会議端末２０の映像および音声の送信にすら十分でない帯域幅であることを意味する。利用可能帯域「中」とは、数台のテレビ会議端末２０の映像および音声の送信は可能だが、全てのテレビ会議端末２０の映像および音声を送信するには十分でない帯域幅であることを意味する。利用可能帯域「広」とは、数台のテレビ会議端末２０の映像および音声の送信は可能だが、全てのテレビ会議端末２０の映像および音声を十分に送信できる帯域幅であることを意味する。
【００６４】
遅延時間「短」とは例えばエンドトゥエンド遅延（テレビ会議のデータがある端末から他の端末へ届くまでの遅延時間）が特定の閾値未満であることを意味し、遅延時間「長」とはエンドトゥエンド遅延がその閾値以上であることを意味する。ここでいう閾値とは、たとえば１００ｍｓ程度であるが、場合に応じて動的に増減してもよい。たとえば特定のテレビ会議端末２０（発言者）が常に発言している場合は遅延時間の閾値を大きくしてよいし、逆に多数のテレビ会議端末２０（発言者）が相互に発言している場合は遅延時間の閾値を小さくすることが望ましい。
【００６５】
そして「遅延短・帯域狭」「遅延短・帯域中」「遅延短・帯域広」「遅延長・帯域狭」「遅延長・帯域中」「遅延長・帯域広」の各領域をそれぞれ「領域１」「領域２」「領域３」「領域４」「領域５」「領域６」とする。
【００６６】
「領域１」および「領域４」の場合、利用可能帯域幅が「狭」であるので、パケット通信網４０で映像および音声を送信することは適切ではない。従って、遅延時間に関わらず、１台のテレビ会議端末２０の映像および全てのテレビ会議端末２０の音声を合成した音声を回線交換網３０経由で送信し、パケット通信網４０では送信しない。
【００６７】
ここで送信される「１台のテレビ会議端末２０の映像」は、たとえば会議解析機能２６１ａが「発言者」として特定したテレビ会議端末２０の映像を使用してもよいし、それ以外にも会議の主催者や受信側のテレビ会議端末２０で指定してもよいし、これ以外にも任意の選択基準を使用できる。もちろんこの選択を、会議が行われている間に動的に変更することも可能である。
【００６８】
２台以上のテレビ会議端末２０の音声を合成することは、映像を合成することに比べて処理が非常に簡単であるので、遅延が殆ど生じない。このため、回線交換網３０で送信すれば、パケット通信網４０の状態が悪くても、映像および音声を少ない遅延と高い信頼度で伝送することが可能となる。ただし、ハウリング防止のため、送信先のテレビ会議端末２０を除いてそれ以外のテレビ会議端末２０の音声を合成するようにしてもよい。
【００６９】
「領域２」および「領域５」の場合、利用可能帯域幅が「中」であるので、遅延時間に関わらず、１台のテレビ会議端末２０の映像および全てのテレビ会議端末２０の音声を合成した音声を回線交換網３０経由で送信し、回線交換網３０経由で送信しなかった残りのテレビ会議端末２０の映像をパケット通信網４０経由で送信する。パケット通信網４０で送信される映像数は、パケット通信網４０の帯域幅を上回らない程度に設定する。即ち、全ての端末の映像が送信されない場合もある。
【００７０】
ここで、回線交換網３０経由で映像を送信する端末としては、たとえば会議解析機能２６１ａが「発言者」として特定したテレビ会議端末２０の映像を使用してもよいし、それ以外にも「映像に最も動きの大きい」端末や「最も発言機会の多い端末」を選択するようにしてもよいし、会議の主催者や受信側のテレビ会議端末２０で指定してもよいし、これ以外にも任意の選択基準を使用できる。もちろんこの選択を、会議が行われている間に動的に変更することも可能である。
【００７１】
これによって、１台のテレビ会議端末２０の映像および全てのテレビ会議端末２０の音声を少ない遅延と高い信頼度で伝送し、さらに主な発言者以外の端末からの映像も送信することが可能となる。
【００７２】
「領域３」は、利用可能帯域幅が「広」でかつ遅延時間が「短」という、最も良好なネットワーク状態を表す。この場合は、回線交換網３０を使用せず、全てのテレビ会議端末２０の映像および音声をパケット通信網４０経由で送信する。この時、「発言者」として特定したテレビ会議端末２０など、特に重要な映像および音声を回線交換網３０を経由して送信するか、もしくは回線交換網３０とパケット通信網４０の両方を経由して送信してもよい。これによって、帯域の大きいパケット通信網４０の利点を生かしたテレビ会議を実現することができる。
【００７３】
「領域６」は、利用可能帯域幅が「広」でかつ遅延時間が「長」というネットワーク状態を表す。この場合は、１台のテレビ会議端末２０の映像および音声を回線交換網３０を経由して送信し、回線交換網３０経由で送信しなかった残りのテレビ会議端末２０の映像および音声をパケット通信網４０経由で送信する。
【００７４】
回線交換網３０を経由して送信する対象となる１台のテレビ会議端末２０は、他の領域と同様に、「発言者」として特定したテレビ会議端末２０などのような、特に重要な映像および音声を選択できる。また、「領域１，２，４，５」の場合として示した例と同様に、回線交換網３０では全てのテレビ会議端末２０の音声を合成した音声を送信するようにしてもよい。これによって、遅延の少ない回線交換網３０と帯域の大きいパケット通信網４０の両方の利点を生かしたテレビ会議を実現することができる。
【００７５】
次に、本実施形態のより具体的な運用について説明する。図１１は、図５に示したテレビ会議システム２０１のより具体的な運用例について示す説明図である。このテレビ会議システム２０１は、図４に示した第１の実施形態に係るテレビ会議システム１の運用例と同様に、１台の中継装置２１０と８台のテレビ会議端末２０ａ〜２０ｈが回線交換網３０およびパケット通信網４０を介して相互に接続されて構成されている。
【００７６】
図７に示した会議解析機能２６１ａで、「発言者」の端末を特定する動作（ステップＳ３０２）は、具体的には、各々のテレビ会議端末２０ａ〜２０ｈから受信した音声の「あらかじめ定められた時間内（たとえば過去１分間）の音量の平均が最大」である端末を「発言者」の端末として特定する。また、「あらかじめ定められた時間内の映像の変化が最大」である端末を「発言者」の端末として特定してもよい。
【００７７】
また、図８に示したネットワーク状態解析機能２６１ｃで、各々のテレビ会議端末２０ａ〜２０ｈとの間のネットワーク状態を解析する動作（ステップＳ３５２）は、具体的には、パケットペアという手法によって行う。
【００７８】
このパケットペアという手法では、中継装置２１０からテレビ会議端末２０ａ〜２０ｈのうちの１台に、ＲＦＣ７９２／１８１２として規格化されているＩＣＭＰ（Internet Control Message Protocol）プロトコルによって、連続した２個の「Echo Request」パケットを送信してから、これに対する返答として戻ってくる「Echo Reply」パケットを受信するまでの時間×１／２を「パケット通信網４０の遅延時間」とする。そして（「Echo Request」パケットの容量）÷（２個の「Echo Reply」パケットの受信間隔）を「テレビ会議端末２０との間の利用可能帯域」として算出する。この処理を、テレビ会議端末２０ａ〜２０ｈの各々に対して行う。
【００７９】
図１２は、図１１に示したテレビ会議システム２０１の運用例で、中継装置２１０からテレビ会議端末２０ａ〜２０ｈの各々の間でのネットワーク状態の一例について示す表である。図１２に示した表では、テレビ会議端末２０ａ〜２０ｈの各々について、ネットワーク状態解析機能２６１ｃで解析されたパケット通信網４０のネットワーク状態を図１０に示した「領域１」〜「領域６」で表し、また会議解析機能２６１ａでテレビ会議端末２０ａが「発言者」の端末として特定されたという例が示されている。
【００８０】
テレビ会議端末２０ａおよび２０ｂでは、ネットワーク状態が最も良好な、利用可能帯域幅が「広」でかつ遅延時間が「短」の「領域３」である。従って、これらの２台には、全てのテレビ会議端末２０の映像および音声をパケット通信網４０経由で送信する。
【００８１】
テレビ会議端末２０ｃでは、利用可能帯域幅が「狭」でかつ遅延時間が「短」の「領域１」である。そしてテレビ会議端末２０ｆでは、利用可能帯域幅が「狭」でかつ遅延時間が「長」の「領域４」である。従って、これらの２台には、「発言者」として特定されたテレビ会議端末２０ａの映像と、全てのテレビ会議端末２０（または送信先であるテレビ会議端末２０ｃもしくは２０ｆを除く全てのテレビ会議端末２０）の音声を合成した音声とをＨ．２２３形式で多重化して回線交換網３０経由で送信する。
【００８２】
テレビ会議端末２０ｄでは、利用可能帯域幅が「中」でかつ遅延時間が「短」の「領域２」である。そしてテレビ会議端末２０ｅでは、利用可能帯域幅が「中」でかつ遅延時間が「長」の「領域５」である。従って、これらの２台には、「発言者」として特定されたテレビ会議端末２０ａの映像と、全てのテレビ会議端末２０（または送信先であるテレビ会議端末２０ｄもしくは２０ｅを除く全てのテレビ会議端末２０）の音声を合成した音声とを回線交換網３０経由で送信する。そして、「発言者」以外の一部のテレビ会議端末２０の映像を、パケット通信網４０経由で送信する。
【００８３】
ここで、テレビ会議端末２０ｄもしくは２０ｅに対してパケット通信網４０経由で送信する映像は、例えば「過去の発言時間の長いもの」「送信先であるテレビ会議端末２０ｄもしくは２０ｅのユーザが希望したもの」「管理者が決定したもの」などのような基準で選択することができるし、アトランダムに選択してもよい。さらに、一定時間ごとに送信する映像を変更することもできる。
【００８４】
テレビ会議端末２０ｇおよび２０ｈでは、利用可能帯域幅が「広」でかつ遅延時間が「長」の「領域６」である。従って、これらの２台には、「発言者」として特定されたテレビ会議端末２０ａの映像および音声を、回線交換網３０経由で送信する。そして、「発言者」以外の全てのテレビ会議端末２０の映像を、パケット通信網４０経由で送信する。
【００８５】
（第２の実施形態の全体的な動作）
次に、上記の実施形態の全体的な動作について説明する。本実施形態に係るテレビ会議中継方法は、第１の実施形態で説明した動作に加えて、テレビ会議端末のうちのいずれが発言者の端末であるかを中継装置の会議解析機能が特定し（図７・ステップＳ３０１〜３０３）、中継装置と各々のテレビ会議端末との間のパケット通信網の状態を中継装置のネットワーク状態解析機能が解析し（図８・ステップＳ３５１〜３５３）、特定された発言者端末および解析されたパケット通信網の状態に応じて映像および音声を回線交換網とパケット通信網のいずれで各々のテレビ会議端末に送信するかを中継装置の送信方法決定機能が決定すると共にこの決定に応じて映像および音声を各々のテレビ会議端末に送信する（図９・ステップＳ４０１〜４０３）。
この動作により、本実施形態は以下のような効果を奏する。
【００８６】
以上説明したように、本実施形態に係るこのテレビ会議システム２０１は、映像および音声の伝送にかかる遅延時間を短縮するだけでなく、各々のテレビ会議端末との間のパケット通信網の状態が良好ではない（即ち遅延時間が長く、利用可能帯域が狭い）場合には遅延時間の少ない方式で映像および音声を送信し、また、パケット通信網の状態が良好である場合にはそれに応じて質の高い映像および音声を送信することができる。即ち、パケット通信網の状態に応じて送信される映像および音声の質を向上し、参加者にとって快適なテレビ会議を実行することが可能となる。
【００８７】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００８８】
上述した各々の実施形態について、その新規な技術内容の要点をまとめると、以下のようになる。なお、上記実施形態の一部または全部は、新規な技術として以下のようにまとめられるが、本発明は必ずしもこれに限定されるものではない。
【００８９】
（付記１）  中継装置と複数のテレビ会議端末とが各々回線交換網とパケット通信網で接続されて構成されるテレビ会議システムであって、
前記中継装置が、
前記テレビ会議端末からの映像および音声を前記回線交換網を介して受信する回線交換通信手段と、
前記テレビ会議端末から受信した前記映像および音声を前記パケット通信網の形式に変換する形式変換部と、
前記映像および音声を前記パケット通信網を介して各々の前記テレビ会議端末に送信するパケット通信手段と、
前記テレビ会議端末のうちの１台から映像および音声を受信したらこれを前記形式変換部に前記パケット通信網に適した形式に変換するよう指令し、変換された前記映像および音声を前記パケット通信網を介して各々の前記テレビ会議端末に送信するよう前記パケット通信手段に指令する通信制御部と
を備えることを特徴とするテレビ会議システム。
【００９０】
（付記２）  前記中継装置の前記形式変換部が、
外部からの指令に応じて前記テレビ会議端末から受信した前記映像および音声を前記回線交換網または前記パケット通信網のうちいずれか一方の形式に変換する機能を有すると共に、
前記中継装置の前記通信制御部が、
前記テレビ会議端末のうちのいずれが発言者端末であるかを特定する会議解析機能と、
各々の前記テレビ会議端末との間の前記パケット通信網の状態を解析するネットワーク状態解析機能と、
前記特定された発言者端末および解析された前記パケット通信網の状態に応じて前記映像および音声を前記回線交換網と前記パケット通信網のいずれで各々の前記テレビ会議端末に送信するかを決定してこの決定に応じて前記映像および音声を各々の前記テレビ会議端末に送信するよう前記回線交換通信手段もしくは前記パケット通信手段に指令する送信方法決定機能と
を有することを特徴とする、付記１に記載のテレビ会議システム。
【００９１】
（付記３）  前記中継装置の前記ネットワーク状態解析機能が、前記パケット通信網の状態として各々の前記テレビ会議端末との間の遅延時間および利用可能帯域を検出し、
前記中継装置の前記送信方法決定機能が、検出された前記遅延時間および前記利用可能帯域に基づいて各々の前記テレビ会議端末に対して前記回線交換網と前記パケット通信網のそれぞれを介して送信する前記映像および音声の内容を決定することを特徴とする、付記２に記載のテレビ会議システム。
【００９２】
（付記４）  複数のテレビ会議端末と各々回線交換網とパケット通信網で接続され、テレビ会議システムを構成するテレビ会議中継装置であって、
前記テレビ会議端末からの映像および音声を前記回線交換網を介して受信する回線交換通信手段と、
前記テレビ会議端末から受信した前記映像および音声を前記パケット通信網の形式に変換する形式変換部と、
前記映像および音声を前記パケット通信網を介して各々の前記テレビ会議端末に送信するパケット通信手段と、
前記テレビ会議端末のうちの１台から映像および音声を受信したらこれを前記形式変換部に前記パケット通信網に適した形式に変換するよう指令し、変換された前記映像および音声を前記パケット通信網を介して各々の前記テレビ会議端末に送信するよう前記パケット通信手段に指令する通信制御部と
を備えることを特徴とするテレビ会議中継装置。
【００９３】
（付記５）  前記形式変換部が、
外部からの指令に応じて前記テレビ会議端末から受信した前記映像および音声を前記回線交換網または前記パケット通信網のうちいずれか一方に適した形式に変換する機能を有すると共に、
前記中継装置の前記通信制御部が、
前記テレビ会議端末のうちのいずれが発言者端末であるかを特定する会議解析機能と、
各々の前記テレビ会議端末との間の前記パケット通信網の状態を解析するネットワーク状態解析機能と、
前記特定された発言者端末および解析された前記パケット通信網の状態に応じて前記映像および音声を前記回線交換網と前記パケット通信網のいずれで各々の前記テレビ会議端末に送信するかを決定してこの決定に応じて前記映像および音声を各々の前記テレビ会議端末に送信するよう前記回線交換通信手段もしくは前記パケット通信手段に指令する送信方法決定機能と
を有することを特徴とする、付記４に記載のテレビ会議中継装置。
【００９４】
（付記６）  中継装置と複数のテレビ会議端末とが各々回線交換網とパケット通信網で接続されて構成されるテレビ会議システムにあって、
前記テレビ会議端末からの映像および音声を前記回線交換網を介して前記中継装置の回線交換通信手段が受信し、
前記テレビ会議端末のうちの１台から映像および音声を受信したら中継装置の形式変換部がこの映像および音声を前記パケット通信網の形式に変換し、
変換された前記映像および音声を前記パケット通信網を介して各々の前記テレビ会議端末に送信する
ことを特徴とするテレビ会議中継方法。
【００９５】
（付記７）  前記テレビ会議端末からの映像および音声を受信した後に、
前記テレビ会議端末のうちのいずれが発言者の端末であるかを前記中継装置の会議解析機能が特定し、
前記中継装置と各々の前記テレビ会議端末との間の前記パケット通信網の状態を前記中継装置のネットワーク状態解析機能が解析し、
前記特定された発言者端末および解析された前記パケット通信網の状態に応じて前記映像および音声を前記回線交換網と前記パケット通信網のいずれで各々の前記テレビ会議端末に送信するかを前記中継装置の送信方法決定機能が決定すると共にこの決定に応じて前記映像および音声を各々の前記テレビ会議端末に送信することを特徴とする、付記６に記載のテレビ会議中継方法。
【００９６】
（付記８）  中継装置と複数のテレビ会議端末とが各々回線交換網とパケット通信網で接続されて構成されるテレビ会議システムにあって、
前記中継装置が備えているコンピュータに、
前記テレビ会議端末からの映像および音声を前記回線交換網を介して受信する手順、
前記テレビ会議端末のうちの１台から映像および音声を受信したらこの映像および音声を前記パケット通信網の形式に変換する手順、
および変換された前記映像および音声を前記パケット通信網を介して各々の前記テレビ会議端末に送信する手順
を実行させることを特徴とするテレビ会議中継プログラム。
【００９７】
（付記９）  前記中継装置が備えているコンピュータに、
前記テレビ会議端末からの映像および音声を受信する手順の後に、
前記テレビ会議端末のうちのいずれが発言者の端末であるかを特定する手順、
前記中継装置と各々の前記テレビ会議端末との間の前記パケット通信網の状態を解析する手順、
および前記特定された発言者端末および解析された前記パケット通信網の状態に応じて前記映像および音声を前記回線交換網と前記パケット通信網のいずれで各々の前記テレビ会議端末に送信するかを前記中継装置の送信方法決定機能が決定すると共にこの決定に応じて前記映像および音声を各々の前記テレビ会議端末に送信させる手順
を実行させることを特徴とする、付記８に記載のテレビ会議中継プログラム。
【産業上の利用可能性】
【００９８】
本発明は、テレビ会議システムに適用できる。その際、テレビ会議端末としては、携帯電話、スマートフォン、パーソナルコンピュータ、セットトップボックスなど、多くの種類の装置を利用することができる。
【符号の説明】
【００９９】
１、２０１  テレビ会議システム
１０、２１０  中継装置
１１  制御手段
１２  回線交換通信手段
１３  パケット通信手段
２０、２０ａ〜ｈ  テレビ会議端末
２１  入力手段
２２  出力手段
２３  エンコード手段
２４  回線交換通信手段
２５  パケット通信手段
２６  デコード手段
３０  回線交換網
４０  パケット通信網
５１  プロセッサ
５２  記憶手段
６１、２６１  通信制御部
６２  形式変換部
２６１ａ  会議解析機能
２６１ｂ  送信方法決定機能
２６１ｃ  ネットワーク状態解析機能
【図１】
2012151555.tif 000003
【図２】
2012151555.tif 000004
【図３】
2012151555.tif 000005
【図４】
2012151555.tif 000006
【図５】
2012151555.tif 000007
【図６】
2012151555.tif 000008
【図７】
2012151555.tif 000009
【図８】
2012151555.tif 000010
【図９】
2012151555.tif 000011
【図１０】
2012151555.tif 000012
【図１１】
2012151555.tif 000013
【図１２】
2012151555.tif 000014